(57)【要約】      （修正有）【課題】製造コストの低い製品の提供をする。【解決手段】両端がなくエンドレスの環形となっており、引輪１を付属する摺動部２と係止部３とを挿通していることによって、チェーンは１重巻または２重巻のネックレスのいずれにも使用可能となり、１重巻であるロングネックレスとして使用する場合には摺動部と係止部との接続の必要はなく、また、２重巻にして使用する場合にも、チェーン上の任意の位置にある摺動部である引輪１と１つの係止部３のみが接続すれば２つの輪１３、１４を形成することから、接続部分の嵩張りをなくし、該接続部分となった摺動部を自由に動かすことによって、多様な形態での使用を可能とする。【選択図】図２
0003225694.tif 000002
【実用新案登録請求の範囲】
【請求項１】
引輪を付属させた摺動部であるスライド玉と、係止部であるプレートとに対して、チェーンを挿通して全体をエンドレスの輪形状として形成し、装着者が該スライド玉の位置を自由に動かすことによって、または該プレートと該引輪を接続することによって、輪部分を１連または２連を形成すると同時に、それぞれの輪部分の径を任意の大きさに変えることができる装身用チェーン。
【請求項２】
請求項１の装身用チェーンにおいて、１連または２連の輪部分の中央部の位置に任意の装飾物を付属させた装身用チェーン。
【考案の詳細な説明】
【技術分野】
【０００１】
本考案は、首回りに装着する装身用チェーンに関する。            
【背景技術】
【０００２】
装身用チェーンは、基本的には、１本の鎖の両端を接続部分で繋ぐことによって１重のネックレスとして使用することが一般的であるが、複数のネックレスを装着して２重にして使用する場合がある。
【０００３】
この点、１本のネックレスについて２重巻にして使用する場合には、着用しているうちに一方の輪が狭くなってしまい、他方の輪とズレが生じるのを回避するために、チェーン本体に摺動部を設けてチェーンの両端を接続して、２重の輪を固定することによってズレを防止することができる考案がある。（特許文献１）
【先行技術文献】
【特許文献】
【０００４】
【特許文献１】実登３２０６７０３号公報
【考案の概要】
【考案が解決しようとする課題】
【０００５】
装身用チェーンについて、これまで２重巻で使用する場合には、紐状であるチェーンの両端に付属している２つの係止部とチェーンを挿通している摺動部とを接続することによって２つの輪のズレを防止することができる一方で、摺動部が有している引輪に２つの係止部を接続させるため、当該接続部分が嵩張り美観を損なうとの課題があった。本考案は、ネックレスの美観上の問題を解決すると共に、製造コストの低い製品の提供をする。
【課題を解決するための手段】
【０００６】
前記目的を達成するための考案は、両端がなくエンドレスの環形となっており、引輪を付属する摺動部と係止部とを挿通していることを特徴とする装身用チェーンを製造することである。これによって、当該チェーンは１重巻または２重巻のネックレスのいずれにも使用可能となり、１重巻であるロングネックレスとして使用する場合には摺動部と係止部との接続の必要はなく、また、２重巻にして使用する場合にも、チェーン上の任意の位置にある摺動部である引輪と１つの係止部のみが接続すれば２つの輪を形成することから、接続部分の嵩張りをなくし、該接続部分となった摺動部を自由に動かすことによって、多様な形態での使用を可能とすると共に、美観を呈するネックレスを提供する。
【考案の効果】
【０００７】
本考案のチェーンによって、基本的には接続部分において、スライド玉に付属させた引輪と、係止部であるプレートを１つだけ接続するだけで、２つの輪部分を有することが可能となるエンドレスのネックレスを提供することができる。１つのプレートで接続が可能なので、当該部分の物理的な嵩張りをなくすことが可能であり、宝飾体を付属させたりしやすく、美観上大きく改善される。
【０００８】
また、接続部分において係止部であるプレートが2個から1個になるだけのため、当該部分に係る製造工程が不要であり、コスト面でも優位となる。
【０００９】
さらに、チェーンに両端がないため、１本のチェーンについてこれをそのままで１重で頭から被って使用することに加えて、２重巻での使用も係止部が１つとなるためより容易となり、この場合の２つの輪にズレは生じない。
【００１０】
結局、実施形態で述べるように、自由な形態でチェーンを使用することが容易となり、多様なデザインをネックレスにも展開できるようになる。
【考案を実施するための形態】
【００１１】
以下において、本考案の実施例１０つを図面に基づいて、説明する。
図１は、本考案によって製造されるチェーンの実施例１を示す正面図である。
実施例１は、チェーン全体をエンドレスとし、プレート３（係止部）の付属部品、および内部に弾性部材を装着したスライド玉２（摺動部として引輪１が付属している）にチェーン１１を通し、該スライド玉でチェーンの作る２つの輪の長さを調整しながら、該スライド玉をチェーン全径の中間点付近に摺動し、固定することで、プレート３とスライド玉２を通じた略同径のチェーン１１、１２が２本見えて、２連同寸のネックレスとなっている。装着に際しては、プレート３とスライド玉２の引輪１とを接続する。
【００１２】
図２は、本考案によって製造されるチェーンの実施例２を示す正面図である。
実施例２は、チェーン全体をエンドレスとし、プレート３（係止部）の付属部品、および内部に弾性部材を装着したスライド玉２（摺動部として引輪が付属している）にチェーン１３を通し、該スライド玉でチェーン１３の作る２つの輪の長さを調整しながら、該スライド玉２をチェーン全径の中間点ではない任意の位置に摺動し、固定することで、プレート３とスライド玉２を通じた異なる径のチェーン１３、１４が２本見えて２連異寸の形態となっている。装着に際しては、プレート３とスライド玉２の引輪１とを接続する。
寸法の異なる２本のチェーンによって、装着者の望む自由なデザインを創出することができる。
【００１３】
図３は、本考案によって製造されるチェーンの実施例３を示す正面図である。
実施例３は、チェーン全体をエンドレスとし、プレート３（係止部）の付属部品、および内部に弾性部材を装着したスライド玉２（摺動部として引輪が付属している）にチェーン１５を通し、該スライド玉２を該プレート３に限りなく近づけた位置に摺動し、固定することで、該プレート２と該スライド玉３を通じた１本のチェーン１５５として１連の形態となっていて、いわゆるロングネックレスとして使用できる。
なお、本実施例においては、該スライド玉２の引輪１と該プレートと３は接続の必要なくロングネックレスを装着できる。
【００１４】
図４は、本考案によって製造されるチェーンの実施例４を示す正面図である。
実施例４は、チェーン全体をエンドレスとし、プレート３（係止部）の付属部品、および内部に弾性部材を装着したスライド玉２（摺動部として引輪が付属している）にチェーン１５を通し、該スライド玉２を該プレート３の方向に近づけた任意の位置に摺動し、固定した上で、該スライド玉２の引輪１と該プレート３とを接続することで、該接続部分を通じた長径と短径の２つの輪の形態となっている。
装着者は、一般的には、長径の輪１５が身体の正面に見えるように、また、短径の輪１６が背中側になるように長径１５の輪を首にかけて装着する。この装着方法によって、正面に見える長径部分であるロングネックレスの長さを自由に変えることができる。
【００１５】
図５は、本考案によって製造されるチェーンの実施例５を示す正面図である。
実施例５は、実施例１の通りの形態にチェーンを形成したものであるが、２本のチェーン１１、１２のそれぞれの径の中間点部分に任意のキャスト装飾物２１、２２をトップとして付属させるものである。この際、それぞれの他方のチェーンと接触または重ならないようにするため、２本のチェーン１１、１２はやや異なる寸法となる。
２つの輪に２種のトップを付属させることによって、より自由なデザインを楽しむことができる。装着に際しては、プレート３とスライド玉２の引輪１とを接続する。
【００１６】
図６は、本考案によって製造されるチェーンの実施例６を示す正面図である。
実施例６は、実施例５の通りの形態にチェーンを形成したものであるが、２本のチェーン１１、１２のそれぞれの径の中間点部分に付属させるキャスト装飾物２１、２２を相互に入れ替えてトップとして付属させるものである。なお、本実施例を形成する過程においては、キャスト装飾物を付け替えるのではなく、これまでに述べた通り、調整が自由な２本のチェーンの長さを長径から短径に、短径から長径に調節するだけで可能である。装着に際しては、プレート３とスライド玉２の引輪１とを接続する。
【００１７】
図７は、本考案によって製造されるチェーンの実施例７を示す正面図である。
実施例７は、実施例６の通りの形態にチェーンを形成し、スライド玉２でチェーンの作る２つの輪の長さを調整しながら、該スライド玉２をチェーン全径の中間点ではない任意の位置に摺動し、固定することで、２連異寸の形態となっている。または、実施例２の通りの形態に径の異なる２本のチェーンを形成し、２本のチェーン１１、１２のそれぞれの径の中間点部分に任意のキャスト装飾物２１、２２をトップとして付属させるものである。装着に際しては、プレート３とスライド玉２の引輪１とを接続する。
寸法の異なる２本の輪の形成と、２種のトップを付属させるによって、より自由で多様なデザインを楽しむことができる。
【００１８】
図８は、本考案によって製造されるチェーンの実施例８を示す正面図である。
実施例８は、実施例３の通りの形態にチェーン１５を形成したものであるが、ロングネックレスとして任意のキャスト装飾物２１をトップとして付属して使用できる。
なお、本実施例においては、該スライド玉２の引輪１と該プレート３とは接続の必要なくロングネックレスを装着できる。
【００１９】
図９は、本考案によって製造されるチェーンの実施例９を示す正面図である。
実施例９は、実施例４の通りの形態にチェーンを形成したものであるが、２つの輪の１５、１６それぞれの中間点に任意のキャスト装飾物２１、２２をトップとして付属して使用する。本実施は実施例４と同様、長径部分であるロングネックレス１５の長さを自由に変えることができるともに装着物２１によって、デザインの可能性を広げる効果がある。また、短径の輪１６の中間点にも任意のキャスト装飾物２２を付属することで美観の演出が可能である。装着に際しては、プレート３とスライド玉２の引輪1とを接続する。
【００２０】
図１０は、本考案によって製造されるチェーンの実施例１０を示す正面図である。
実施例１０は、実施例９の通りの形態にチェーンを形成した後、２つの輪１５，１６のうち長径の輪１５の中間点に異なる２つのキャスト装飾物２１，２２を付属させてデザインした例である。実施例９と同様、長径部分であるロングネックレス１５の長さを自由に変えることができるともに装着物を複数選択することによって、優れたデザインを提供できる。装着に際しては、プレート３とスライド玉２の引輪1とを接続する。
【００２１】
本考案のチェーンについては、各径の長さや、キャスト装飾品の内容は、上記の実施例に限定されるものではなく、製作・装着可能な範囲で実施例と異なっていても、考案の趣旨に則っていればよい。
【図面の簡単な説明】
【００２２】
【図１】本考案によって製造された装身用チェーンの実施例１を示す正面図である。
【図２】本考案によって製造された装身用チェーンの実施例２を示す正面図である。
【図３】本考案によって製造された装身用チェーンの実施例３を示す正面図である。
【図４】本考案によって製造された装身用チェーンの実施例４を示す正面図である。
【図５】本考案によって製造された装身用チェーンの実施例５を示す正面図である。
【図６】本考案によって製造された装身用チェーンの実施例６を示す正面図である。
【図７】本考案によって製造された装身用チェーンの実施例７を示す正面図である。
【図８】本考案によって製造された装身用チェーンの実施例８を示す正面図である。
【図９】本考案によって製造された装身用チェーンの実施例９を示す正面図である。
【図１０】本考案によって製造された装身用チェーンの実施例１０を示す正面図である。
【符号の説明】
【００２３】
１  引輪
２  スライド玉（摺動部）
３  プレート（係止部）  
１１、１２  チェーン（２連の場合の各輪）
１３  短径チェーン
１４  長径チェーン
１５  ロングネックレスまたは１連の場合の長径チェーン
１６  １連の場合の短径チェーン
【図１】
0003225694.tif 000003
【図２】
0003225694.tif 000004
【図３】
0003225694.tif 000005
【図４】
0003225694.tif 000006
【図５】
0003225694.tif 000007
【図６】
0003225694.tif 000008
【図７】
0003225694.tif 000009
【図８】
0003225694.tif 000010
【図９】
0003225694.tif 000011
【図１０】
0003225694.tif 000012